(57)【要約】【課題】  複雑なグラデーションの色の変化についても処理速度が低下することなく、また、単純なグラデーションは高速に処理する。【解決手段】  受信した要求がグラデーションの描画処理である場合に、グラデーション処理方法判定部３３３１において、バンド方向の色の変化の割合を所定の分析結果に基づき判定し、その判定結果に基づいて、バンド方向の色の変化の割合が大きい場合には、グラデーションイメージ作成部３３３２によりグラデーションのラインイメージを作成して、パスの塗りつぶし処理を行い、ラインイメージによりパスの領域を描画し、また、上記判定結果に基づいて、バンド方向の色の変化の割合が小さい場合には、ストローク処理部３３３４により、指定された幅で塗ることにより、同じ色の領域をパスで描画する。【選択図】        図４
2010056931.tif 000002
【特許請求の範囲】
【請求項１】
外部装置と通信するための通信手段と、
上記通信手段により受信した外部装置からの要求がグラデーションの描画処理である場合に、バンド方向の色の変化の割合を所定の分析結果に基づき判定するグラデーション処理方法判定手段と、
指定されたグラデーションのイメージを作成するグラデーションイメージ作成手段と、
パスの塗りつぶし処理を行うフィル処理手段と、
パスを指定された幅で塗るストローク処理手段を備え、
上記グラデーション処理方法判定手段による判定結果に基づいて、バンド方向の色の変化の割合が大きい場合には、グラデーションイメージ作成手段によりグラデーションのラインイメージを作成して上記フィル処理手段によりパスの塗りつぶし処理を行い、ラインイメージによりパスの領域を描画し、
上記グラデーション処理方法判定手段による判定結果に基づいて、バンド方向の色の変化の割合が小さい場合には上記ストローク処理手段によりパスを指定された幅で塗ることにより、同じ色の領域をパスで描画することを特徴とする画像処理装置。
【請求項２】
上記グラデーションイメージ作成手段は、指定されたグラデーションの開始位置、終了位置、描画対象の外接矩形領域及びグラデーションで指定された色情報を元にグラデーションのラインイメージを作成することを特徴とする請求項１記載の画像処理装置。
【請求項３】
上記グラデーションイメージ作成手段は、描画対象の外接矩形と指定されたグラデーションの開始位置、終了位置が一致していない場合、その領域を含めたラインイメージを作成することを特徴とする請求項２記載の画像処理装置。
【請求項４】
上記グラデーションイメージ作成手段は、グラデーションの開始位置と終了位置が描画対象領域の外接矩形の外側にある場合、外接矩形を描画できる長さのラインイメージを作成することを特徴とする請求項２記載の画像処理装置。
【請求項５】
外部装置と通信するための通信手段により受信した上記外部装置からの要求に応じて描画を行う画像処理装置に備えられたコンピュータにより実行される画像処理プログラムであって、
受信した外部装置からの要求がグラデーションの描画処理である場合に、バンド方向の色の変化の割合を所定の分析結果に基づき判定し、
その判定結果に基づいて、バンド方向の色の変化の割合が大きい場合には、グラデーションのラインイメージを作成してパスの塗りつぶし処理を行い、ラインイメージによりパスの領域を描画し、
また、上記判定結果に基づいて、バンド方向の色の変化の割合が小さい場合には、指定された幅で塗ることにより、同じ色の領域をパスで描画する処理を上記画像処理装置に備えられたコンピュータにより実行させることを特徴とする画像処理プログラム。
【発明の詳細な説明】
【技術分野】
【０００１】
本発明は、テキストやイメージやパス図形で構成されるデータの印刷要求を処理する印刷処理装置などの画像処理装置及び画像処理プログラムに関する。
【背景技術】
【０００２】
従来より、例えば、グラデーションフィル図形の描画に関し、グラデーションの生成が指示されると呼び出されるグラデーション生成部により、渡された色の変化方向のベクトル及びその始終点の色情報を用いて、始点と終点を結ぶ直線に垂直でその内部の色値が均一となる複数の隣接する帯状領域を設定し、その帯状領域と走査線との交点を求めて色の変化点とし、走査線毎に、この変化点及び変換点間の色を順次求め、走査線方向のグラデーションパターンを生成することが行われている（例えば特許文献１参照）。
【０００３】
また、プリンタや複写機、ファクシミリ装置あるいはこれらの複合機等、印刷機能を有する画像形成装置においては、一度、１頁分の印刷ジョブを複数のバンドに分割してから中間コードに変換してメモリ領域に蓄積し、蓄積された中間コードをビットイメージにラスタライズして頁単位で画像印刷することで、メモリ領域を節約する構成が知られている。
【０００４】
例えば、グラデーションフィル図形の描画に関し、グラデーションを検知したときに、１ラインのピクセル情報を次のラインのピクセルに複製していく手法が提案されている。この手法は、グラフィックスにより描画命令（中間コード）により新規描画をする物を対象とした高速化であり、ピクセルの色を計算してグラディエントなパターンを作成し、複製することでグラデーションを描画するものである（例えば特許文献２参照）。
【０００５】
上記特許文献２に記載された画像処理装置では、グラディエントオブジェクトの描画処理において、画像処理オブジェクトが水平方向あるいは垂直方向に何層のグラデーションがあるかを検知し、検知したグラデーションの第一層のみを計算し、第二層以下に第一層をコピーして使用することにより、垂直、水平方向に一定パターンのグラデーションを多層持つオブジェクトの生成時間を短縮して、画像の高速処理を可能としている。
【０００６】
【特許文献１】特開平１１−２５２８２号公報
【特許文献２】特開２００１−１０１４１３号公報
【発明の開示】
【発明が解決しようとする課題】
【０００７】
ところで、従来のグラデーション描画の手法では、バンド方向の色の変化が大きい場合には、色が変化するたびにグラデーションパターンの色を変化させる必要があるため、処理速度が低下することがある問題があった。すなわち、バンド方向へのグラデーションパターンへの置き換えにおいて、色の変化する方向とバンドの方向の組み合わせによっては、多数のグラデーションパターンへの置き換えに多数の色が変化する。置き換え処理においてはグラデーションの色が変わる毎にパターンへ置き換えるための色が変化する位置を求める計算が必要であり、処理速度低下の原因となる。
【０００８】
そこで、本発明の目的は、上述の如き従来の問題点に鑑み、複雑なグラデーションの色の変化についても処理速度が低下することなく、また、単純なグラデーションは高速に処理することのできる画像処理装置及び画像処理プログラムを提供することにある。
【０００９】
本発明の更に他の目的、本発明によって得られる具体的な利点は、以下に説明される実施の形態の説明から一層明らかにされる。
【課題を解決するための手段】
【００１０】
本発明に係る画像処理装置は、外部装置と通信するための通信手段と、上記通信手段により受信した外部装置からの要求がグラデーションの描画処理である場合に、バンド方向の色の変化を所定の分析結果に基づき判定するグラデーション処理方法判定手段と、指定されたグラデーションのイメージを作成するグラデーションイメージ作成手段と、パスの塗りつぶし処理を行うフィル処理手段と、パスを指定された幅で塗るストローク処理手段を備え、上記グラデーション処理方法判定手段による判定結果に基づいて、バンド方向の色の変化の割合が大きい場合には、グラデーションイメージ作成手段によりグラデーションのラインイメージを作成して上記フィル処理手段によりパスの塗りつぶし処理を行い、ラインイメージによりパスの領域を描画し、上記グラデーション処理方法判定手段による判定結果に基づいて、バンド方向の色の変化の割合が小さい場合には上記ストローク処理手段によりパスを指定された幅で塗ることにより、同じ色の領域をパスで描画することを特徴とする。
【００１１】
上記画像処理装置において、例えば、上記グラデーションイメージ作成手段は、指定されたグラデーションの開始位置、終了位置、描画対象の外接矩形領域及びグラデーションで指定された色情報を元にグラデーションのラインイメージを作成するものとすることができる。
【００１２】
また、上記画像処理装置において、例えば、上記グラデーションイメージ作成手段は、描画対象の外接矩形と指定されたグラデーションの開始位置、終了位置が一致していない場合、その領域を含めたラインイメージを作成するものとすることができる。
【００１３】
さらに、上記画像処理装置において、例えば、上記グラデーションイメージ作成手段は、グラデーションの開始位置と終了位置が描画対象領域の外接矩形の外側にある場合、外接矩形を描画できる長さのラインイメージを作成するものとすることができる。
【００１４】
本発明は、外部装置と通信するための通信手段により受信した上記外部装置からの要求に応じて描画を行う画像処理装置に備えられたコンピュータにより実行される画像処理プログラムであって、受信した外部装置からの要求がグラデーションの描画処理である場合に、バンド方向の色の変化を所定の分析結果に基づき判定し、その判定結果に基づいて、バンド方向の色の変化の割合が大きい場合には、グラデーションのラインイメージを作成してパスの塗りつぶし処理を行い、ラインイメージによりパスの領域を描画し、また、上記判定結果に基づいて、バンド方向の色の変化の割合が小さい場合には、指定された幅で塗ることにより、同じ色の領域をパスで描画する処理を上記画像処理装置に備えられたコンピュータにより実行させることを特徴とする。
【発明の効果】
【００１５】
本発明では、受信した外部装置からの要求がグラデーションの描画処理である場合に、バンド方向の色の変化の割合を所定の分析結果に基づき判定し、その判定結果に基づいて、バンド方向の色の変化の割合が大きい場合には、グラデーションのラインイメージを作成してパスの塗りつぶし処理を行い、ラインイメージによりパスの領域を描画し、また、上記判定結果に基づいて、バンド方向の色の変化の割合が小さい場合には、指定された幅で塗ることにより、同じ色の領域をパスで描画するので、グラデーションの描画に関して１ラインイメージを作成することで、複雑なグラデーションの色の変化についても処理速度の低下が起きることなく、また、単純なグラデーションについてはフィルにより高速に処理することができる。
【発明を実施するための最良の形態】
【００１６】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１７】
本発明は、例えば図１に示すようにホストコンピュータ１０と画像処理装置２０がＬＡＮなどのネットワーク１５を介して相互に通信可能に接続されてなる印刷システム１における画像処理装置２０に適用される。
【００１８】
この印刷システム１において、画像処理装置２０は、ホストコンピュータ１０から供給される印刷データを印刷する機能を備えたプリンタ装置であって、装置全体の制御および各種演算処理を行うコンピュータ（ＣＰＵ）３０、プログラムやデータを格納するためのリードオンリメモリ（ＲＯＭ）４０、作業領域として一時的にプログラムやデータを記憶するためのランダムアクセスメモリ（ＲＡＭ）５０、各種情報の表示および各種指示の入力に使用される操作パネル部６０、電子写真式プロセス等の周知の作像プロセスを用いて、各種データを用紙などの記録媒体上に印刷する印刷部７０、およびネットワーク１５に接続するためのＬＡＮカードなどの通信インターフェース８０などがバス９０を介して相互に接続されている。
【００１９】
画像処理装置２０には、その機能的な構成を図２のブロック図に示すように、通信インターフェース８０を介してデータを受信するデータ受信部３１、データ受信部３１により受信したデータの解析を行なうデータ解析部３２、データ解析部３２からの指示に従って描画データを処理する描画データ処理部３３、描画データ処理部３３で作成されたディスプレイリストからビデオＲＡＭ上にビットマップを作成する描画部３４、システムのメモリを管理するメモリ管理部３５、システムの共通情報を管理し、システムの制御を行なうシステム制御部３６などが、ＣＰＵ３０による処理機能として搭載されており、描画部３４により作成されたビットマップに従って印刷部７０が実際に記録媒体に印刷を行う。
【００２０】
描画データ処理部３３は、その構成を図３に示すように、拡大縮小の設定行列や現在有効なスクリーン等の描画に関係する設定情報を管理する描画環境管理部３３１、イメージデータの処理を行うイメージ処理部３３２、ベクターデータの処理を行うベクター処理部３３３、文字データの処理を行なう文字処理部３３４、クリップ処理を行うクリップ処理部３３５、各処理部３３２〜３３５で処理された情報を元にディスプレイリストを作成するディスプレイリスト作成部３３６などを有する。
【００２１】
さらに、ベクター処理部３３３は、グラデーションの処理を同色の矩形等のベクタオブジェクトのフィルにより行うか、イメージにより描画するかの判定を行うグラデーション処理方法判定部３３３１、指定されたグラデーションのイメージを作成するグラデーションイメージ作成部３３３２、パスの塗りつぶし処理を行うフィル処理部３３３３、パスを指定された幅で塗るストローク処理部３３３４等を備える。
【００２２】
この印刷システム１において、画像処理装置２０に備えられたＣＰＵ３０は、例えばＲＯＭ４０から読み出される画像処理プログラムに従って次のように画像処理を実行する。
【００２３】
すなわち、この画像処理装置２０の制御部３０は、ホストコンピュータ１から送られてくるデータを通信インターフェース８０を介してデータ受信部３１により受け取り、受け取ったデータをデータ解析部３２により解析する。
【００２４】
データ解析部３２によりデータを解析して得られる描画命令は、描画データ処理部３３により処理され、描画データのうちグラデーションに関するものはベクタ処理部３３３に渡される。
【００２５】
ベクタ処理部３３３で処理されたグラデーションは、１ラインのイメージに置き換えられた場合はイメージ処理部３３２により処理され、ディスプレイリスト作成部３３６でディスプレイリストが作成される。また、１ラインのイメージに置き換えない場合は、ベクタ処理部３３３で矩形等の帯状領域のパスとして処理され、ディスプレイリスト作成部３３６でディスプレイリストが作成される。ディスプレイリスト作成部で３３６作成されたディスプレイリストは、描画部３４に渡され、ビデオＲＡＭにビットマップとして書き込まれる。印刷部７０は、そのビットマップを記録媒体へ出力する。
【００２６】
ここで、グラデーションの方向についての例として、図４の（Ａ），（Ｂ），（Ｃ）に、横グラデーション１０１、斜めグラデーション１０２、縦グラデーション１０３を示す。この例ではページ全体にグラデーションがかかっている様子を表している。図４の（Ａ）に示す横グラデーション１０１は、上の方のバンドは黒で描画し、下の方のバンドは白で描画している。図４のバンドの方向とは、グラデーションの描画時に走査する方向を表す。この方向に沿って処理を行なう場合はメモリのアクセス効率が良いため高速な処理が行える。
【００２７】
従来の手法では、図４（Ｂ）に示す斜めグラデーション１０２の場合、グラデーションの始点と終点を結ぶ直線に垂直で、同じ色で構成される複数の帯状領域が、それぞれバンドを構成する走査線（バンド方向の1ラインイメージ）一つ一つに対してどのように交差するかを求め、走査線ごとのグラデーションパターンを生成するようにしていた。このような従来の手法では、図４の（Ａ）に示す横グラデーション１０１のように、バンド方向の色の変化がない、または、少ない場合には走査線と帯状領域が交差する箇所を求めることが少ないため、有効であるが、図４（Ｂ）に示す斜めグラデーション１０２や図４（Ｃ）に示す縦グラデーション１０３ではバンド方向の色の変化が多くなるため多数の交点を求める必要があり、計算コストがかかる。
【００２８】
この画像処理装置２０では、図４の（Ａ）に示す斜めグラデーションや図４（Ｃ）に示す縦グラデーションでバンド方向の色の変化が大きい場合に、走査線ごとのグラデーションパターンを作成するのではなく、図５のフローチャートに示すような手順に従ってグラデーションの描画処理を行い、ベクタ処理部３３３において、グラデーションの方向の１ラインのイメージを作成し、それをグラデーションの方向と垂直な方向に拡大することによりグラデーションの描画を行う。また、このようなイメージにより処理を行うか、同じ色毎の帯状領域の塗りつぶしによる処理を行うかの判定を行う。
【００２９】
すなわち、ベクタ処理部３３３では、グラデーションの描画命令が入力されると（ステップＳ１）、まず、グラデーション処理方法判定部３３３１において、バンド方向の色変化の割合が大きいか否かの判定処理を行う（ステップＳ２）。ここでは、グラデーション処理方法判定部３３３１が、対象となる走査線を描画する上で色の変化がある閾値よりも大きいか否かにより判定する。詳細には、グラデーション処理方法判定部３３３１が、対象となる走査線のイメージデータに対して同じ色のドットが何ドット続いているかを分析して、所定の閾値と比較する。グラデーション処理方法判定部３３３１は、続けて配列される同じ色のドット数が閾値よりも小さければ、色変化の割合が大きいと判定する。
【００３０】
ここで、グラデーション処理方法判定部３３３１により走査線のイメージを分析した結果を記録する１例を次の表１に示す。
【００３１】
【表１】
2010056931.tif 000003
【００３２】
表１は、走査線に同じ色のドットが続けて配列されているドット数を示している。表1の例では、続けて配列される同じ色のドット数の平均値は７．５となる。閾値が１０であれば、続けて配列される同じ色のドット数は閾値よりも小さいので、グラデーション処理方法判定部３３３１は、対象となる走査線の色変化の割合が大きいと判定する。
【００３３】
なお、閾値は予め画像処理装置３０に設定された数値であり、製造者や装置管理者が適宜設定することができるものである。
【００３４】
ステップＳ２における判定結果がＹＥＳ、すなわち、色変化の割合が大きい場合には、グラデーションイメージ作成部３３３２により、指定されたグラデーションのイメージを作成して（ステップＳ３）、イメージによりパスの領域を描画する（ステップＳ４）。グラデーションイメージ作成部３３３２が行なう描画処理の詳細については、後述する。
【００３５】
また、ステップＳ２における判定結果がＮＯ、すなわち、上記閾値より色変化の割合が小さければ、ストローク処理部３３３４により、パスを指定された幅で塗る処理を行い、同じ色の領域をパスで描画する（ステップＳ５）。この場合は、ストローク処理部３３３４により、グラデーションで色が変化するなかで同じ色が連続する帯状の領域についてのパスを作成し、その色でパスの塗りつぶし処理を行う。これをグラデーションで変化する色ごとに行うことでグラデーション全体を描画する。
【００３６】
すなわち、この画像処理装置２０では、データ受信部３１により受信したホストコンピュータ３０からの要求がグラデーションの描画処理である場合に（ステップＳ１）、グラデーション処理方法判定部３３３１において、バンド方向の色の変化の割合が大きいか否かにより、グラデーションの処理を同色のベクタオブジェクトのフィルにより行うか、イメージにより描画するかの判定を行い（ステップＳ２）、その判定結果に基づいて、バンド方向の色の変化の割合が大きい場合には、グラデーションイメージ作成部３３３２によりグラデーションのラインイメージを作成して（ステップＳ３）、パスの塗りつぶし処理を行い、ラインイメージによりパスの領域を描画し（ステップＳ４）、また、上記判定結果に基づいて、バンド方向の色の変化の割合が小さい場合には、ストローク処理部３３３４により、指定された幅で塗ることにより、同じ色の領域をパスで描画する（ステップＳ５）。
【００３７】
ここで、グラデーションイメージ作成部３３３２では、指定されたグラデーションの開始位置、終了位置、描画対象の外接矩形領域及びグラデーションで指定された色情報を元にグラデーションのラインイメージを作成する。
【００３８】
例えば、図６に示す描画対象の外接矩形領域１００にしてグラデーションの描画を行う場合に、図７に示すようなグラデーションのラインイメージ１１０を作成する。図６において、矢印Ａ，Ｂは、それぞれグラデーションの開始位置、終了位置を示す。
【００３９】
また、描画対象の外接矩形１００と指定されたグラデーションの開始位置、終了位置が一致していない場合の例を図８に示す。図８の全体が描画対象の外接矩形１００’を表す。図８において、Ａ’とＢ’は、それぞれグラデーションの開始位置と終了位置を表している。この場合、黒色の三角形の領域Ｃと白色の三角形の領域Ｄはグラデーションの指定された領域の外側となる。この例では、それぞれ開始位置を黒、終了位置を白で表してある。それ以外にもグラデーションを繰り返す方法などが描画データから指定される。このような場合についても、図９に示すようにその領域Ｃ，Ｄを含めたラインイメージ１１１を作成することにより描画対象の領域全体をグラデーションで描画することができる。また、グラデーションの開始位置と終了位置が描画対象領域の外接矩形の外側にある場合は外接矩形を描画できる長さのラインイメージを作成すればよい。
【００４０】
このようにして、ベクタ処理部３３３では、ステップＳ３においてグラデーションイメージ作成部３３３２により描画対象の外接矩形１００についてのラインイメージを作成して、次のステップＳ５においてイメージによりパスの領域を描画で作成したグラデーションのラインイメージをイメージ処理部３３２へ渡す。
【００４１】
また、描画する領域がパスにより指定されている場合はクリップ処理部３３５によりグラデーションをかける領域に対してクリップ処理を行う。
【００４２】
そして、イメージ処理部３３２では、ベクタ処理部３３３のグラデーションイメージ作成部３３３２が作成したラインイメージ１１０と指定したイメージの位置や向きや拡大方向によりパスで指定された形状を塗り、次のようにして、イメージを描画する。
【００４３】
まず、図１０の（Ａ）に示すように、描画する形状２００の一点Ｐ１を選択する。そしてその点と対応づくラインイメージ１１０上の位置を計算する。次に図１０の（Ｂ）に示すように、ラインイメージ１１０のその点Ｄ１の色をコピーする。
【００４４】
指定した一点Ｐ１の描画が行えたら、図１０の（Ｃ）に示すように次の点Ｐ２に処理を移す。そして同じように計算し、図１０（Ｄ）に示すようにラインイメージ１１０の対応する点Ｄ２の色をコピーする。
【００４５】
このようにして、描画したい形状についての全ての点Ｐ１，Ｐ２，・・・Ｐｎについての色をラインイメージ１１０上の位置を計算してコピーすることにより、図１１に示すように、形状２００全体をグラデーションにより描画することができる。
【００４６】
上述の如き構成の画像処理装置２０では、受信した外部装置からの要求がグラデーションの描画処理である場合に、バンド方向の色の変化の割合が大きいか否かにより、グラデーションの処理を同色のベクタオブジェクトのフィルにより行うか、イメージにより描画するかの判定を行い、その判定結果に基づいて、バンド方向の色の変化の割合が大きい場合には、グラデーションのラインイメージを作成してパスの塗りつぶし処理を行い、ラインイメージによりパスの領域を描画し、また、上記判定結果に基づいて、バンド方向の色の変化の割合が小さい場合には、指定された幅で塗ることにより、同じ色の領域をパスで描画するので、グラデーションの描画に関して１ラインイメージを作成することで、複雑なグラデーションの色の変化についても処理速度の低下が起きることなく、また、単純なグラデーションについてはフィルにより高速に処理することができる。
【図面の簡単な説明】
【００４７】
【図１】本発明の画像処理装置とホストコンピュータを有する印刷システムを示すブロック図である。
【図２】本発明の画像処理装置の機能的な構成を示すブロック図である。
【図３】本発明の画像処理装置における描画データ処理部の機能的な構成を示すブロック図である。
【図４】グラデーションの方向についての例を模式的示す図である。
【図５】本発明の画像処理装置におけるグラデーションの描画処理の手順を示すフローチャートである。
【図６】本発明の画像処理装置により描画するグラデーションの例を模式的に示す図である。
【図７】本発明の画像処理装置により作成したラインイメージを模式的に示す図である。
【図８】描画対象の外接矩形と指定されたグラデーションの開始位置、終了位置が一致していない場合の例を模式的示す図である。
【図９】指定点の外側の領域を含めたラインイメージを模式的示す図である。
【図１０】本発明の画像処理装置のイメージ処理部によるイメージの描画過程を模式的示す図である。
【図１１】形状全体をグラデーションにより描画したイメージを模式的示す図である。
【符号の説明】
【００４８】
１  印刷システム、１０  ホストコンピュータ、１５  ネットワーク、２０  画像処理装置、３０  ＣＰＵ、４０  ＲＯＭ、３１  データ受信部、３２  データ解析部、３３  描画データ処理部、３４  描画部、３５  メモリ管理部、３６  システム制御部、５０  ＲＡＭ、６０  操作パネル部、７０  印刷部、８０  通信インターフェース、９０  バス、３３１  描画環境管理部、３３２イメージ処理部、３３３  ベクター処理部、３３４  文字処理部、３３５  クリップ処理部、３３６  ディスプレイリスト作成部、３３３１  グラデーション処理判定部、３３３２  グラデーションイメージ処理部、３３３３  フィル処理部、３３３４  ストローク処理部
【図１】
2010056931.tif 000004
【図２】
2010056931.tif 000005
【図３】
2010056931.tif 000006
【図４】
2010056931.tif 000007
【図５】
2010056931.tif 000008
【図６】
2010056931.tif 000009
【図７】
2010056931.tif 000010
【図８】
2010056931.tif 000011
【図９】
2010056931.tif 000012
【図１０】
2010056931.tif 000013
【図１１】
2010056931.tif 000014